(57)【要約】【課題】  自然給排気装置にフィルターを取り付けるための、コスト的に有利なフィルター取付具を提供する。【解決手段】  フィルター取付具１１は、フィルター４１を平坦面７１の対向する四隅の部分に押圧する押圧部１３〜押圧部１６と、押圧部１３〜押圧部１６に接続され、その端部が押圧部１３〜押圧部１６から離れる方向に変形自在の突出片１８〜突出片２１と、突出片１８〜突出片２１を、押圧部１３〜押圧部１６から離れる方向に付勢し開閉蓋の内面に当接させる輪ゴム３５とを備えている。このようなフィルター取付具１１を取り付けることで、フィルター４１は自然給排気装置６１の開閉状態にかかわらず常に押圧部１３〜押圧部１６によって押圧されるので、フィルター４１の取付状態が安定する。又、フィルター取付具１１は１枚のシート状の可撓性材料と輪ゴム３５とから構成されるので、コスト的に有利となる。【選択図】      図１
2015104694.tif 000002
【特許請求の範囲】
【請求項１】
室内側の壁面に取り付けられ、平坦面と前記平坦面の中央に形成される通気口と前記平坦面に対向するように取り付けられ、前記平坦面から通気方向に移動自在の開閉蓋とを有する自然給排気装置に対して、前記通気口を塞ぐように前記平坦面にシート状のフィルターを取り付けるためのフィルター取付具であって、
前記フィルターを前記平坦面の一部に押圧する押圧部と、
前記押圧部に接続され、その端部が前記押圧部から離れる方向に変形自在の外方部と、
前記外方部を、前記押圧部から離れる方向に付勢し前記開閉蓋の内面に当接させる付勢手段とを備えた、フィルター取付具。
【請求項２】
前記押圧部と前記外方部とは１枚のシート状の可撓性材料を打ち抜くことにより形成され、
前記外方部は前記可撓性材料の中心から放射状に形成される複数の突出片よりなり、
前記付勢手段は、前記突出片の各々に係合し、これらが互いに接近するように働くリング状の弾性体よりなる、請求項１記載のフィルター取付具。
【請求項３】
前記通気口の中心には前記開閉蓋の作動杆を摺動自在とする軸体が形成され、
前記可撓性材料の前記中心には前記軸体に挿通可能な開口が形成される、請求項２記載のフィルター取付具。
【請求項４】
前記平坦面の外縁は正方形形状を有し、前記通気口は円形状に形成され、
前記押圧部の各々は、前記平坦面の対向する四隅の部分を押圧する、請求項２又は請求項３記載のフィルター取付具。
【発明の詳細な説明】
【技術分野】
【０００１】
この発明はフィルター取付具に関し、特に室内側の壁面に取り付けられる自然給排気装置にフィルターを取り付けるための、フィルター取付具に関するものである。
【背景技術】
【０００２】
図８は従来の自然給排気装置の外観形状を概略的に示した正面図であり、図９は図８で示した自然給排気装置において、フィルターを取り外した後の装置本体及びフィルターそれぞれの外観形状を概略的に示した正面図であり、図１０は図９で示した装置本体の外観形状を概略的に示した斜視図である。
【０００３】
これらの図を参照して、自然給排気装置６１は、装置本体６５と、図示しない開閉蓋と、フィルター８１とを中心として構成されている。
【０００４】
装置本体６５は、外縁が正方形形状を有する平坦面７１と、平坦面７１の外周端部を取り囲む縁部７４と、平坦面７１の中央に形成された円形状の通気口７５とを備えている。平坦面７１には、その一部が通気口７５側へ向かって凹むことで形成された取付部７２が通気口７５を介して対向する位置４箇所に形成され、平坦面７１の外周端部上の全周には、リング状の緩衝材７３が取り付けられている。又、通気口７５の中心には、上述した開閉蓋の作動杆７８を摺動自在とする軸体７９が形成されている。
【０００５】
上述した図示しない正方形板状の開閉蓋は、平坦面７１に対向するように取り付けられ、平坦面７１から通気方向に移動自在に構成されている。
【０００６】
フィルター８１は、図９で示したように、不織布８２と保持部８３とを中心として構成されている。保持部８３は、リング状の外枠部８６と、外枠部８６の内方に配置された開口枠部８７と、開口枠部８７から外枠部８６へ向かって放射状に延びる連結部８８と、連結部８８に対応する外枠部８６に設けられた突出部８９とを備えており、不織布８２は、開口枠部８７の内方が開口するようにして、外枠部８６、開口枠部８７、及び連結部８８のそれぞれの一方面側に貼着されている。フィルター８１の取り付けに際しては、装置本体６５の軸体７９を開口枠部８７に挿通し、突出部８９が取付部７２に嵌合するようにしてフィルター８１を装置本体６５に取り付ける。
【０００７】
図１１は図８で示した自然給排気装置が壁面に取り付けられたときの、自然給排気装置の外観形状を概略的に示した斜視図であり、図１２は図１１で示したＸＩＩ−ＸＩＩラインの断面図である。
【０００８】
これらの図を参照して、自然給排気装置６１は、装置本体６５が室内側の壁面６３に取り付けられ、作動杆７８に開閉蓋６６が取り付けられる。このとき、通気口７５は壁面６３を貫通するパイプ６４の内方に嵌合された状態にある。
【０００９】
自然給排気装置６１の不使用時には、図１１及び図１２においてそれぞれ（１）に示したように、開閉蓋６６は緩衝材７３を介して平坦面７１と接している。又、自然給排気装置６１の使用時には、図１１及び図１２においてそれぞれ（２）に示したように、開閉蓋６６を通気口７５の通気方向に移動させた状態で保持することで、通気口７５を介した空気の出入りが可能となる。そして外気が室内側に流れ込むときには、フィルター８１の不織布８２によって外気に含まれている花粉等の粉塵は除去されるので、室内側に新鮮な空気を取り入れることができる。
【発明の概要】
【発明が解決しようとする課題】
【００１０】
ところで図８〜図１２で示した自然給排気装置６１の使用を継続すると、粉塵によってフィルター８１の不織布８２が汚れることがある。このような場合、フィルター８１の不織布８２だけを取り替えることはできず、フィルター８１全体を新しいものと交換しなければならない。しかしながら自然給排気装置６１にあっては、フィルター８１は、その保持部８３（図９参照）の形状が取付部７２の形状に適合した特殊なフィルターでなければならず、汎用性に欠ける。又、こうした保持部８３を備えたフィルター８１は一般的にコストが高いため、不織布８２が汚れる度にフィルター８１全体を取り替えなければならないとすると、経済的とは言えない。
【００１１】
この発明は上記のような課題を解決するためになされたもので、自然給排気装置にフィルターを取り付けるための、コスト的に有利なフィルター取付具を提供することを目的とする。
【課題を解決するための手段】
【００１２】
上記の目的を達成するために、請求項１記載の発明は、室内側の壁面に取り付けられ、平坦面と平坦面の中央に形成される通気口と平坦面に対向するように取り付けられ、平坦面から通気方向に移動自在の開閉蓋とを有する自然給排気装置に対して、通気口を塞ぐように平坦面にシート状のフィルターを取り付けるためのフィルター取付具であって、フィルターを平坦面の一部に押圧する押圧部と、押圧部に接続され、その端部が押圧部から離れる方向に変形自在の外方部と、外方部を、押圧部から離れる方向に付勢し開閉蓋の内面に当接させる付勢手段とを備えたものである。
【００１３】
このように構成すると、押圧部は常にフィルターを押圧する。
【００１４】
請求項２記載の発明は、請求項１記載の発明の構成において、押圧部と外方部とは１枚のシート状の可撓性材料を打ち抜くことにより形成され、外方部は可撓性材料の中心から放射状に形成される複数の突出片よりなり、付勢手段は、突出片の各々に係合し、これらが互いに接近するように働くリング状の弾性体よりなるものである。
【００１５】
このように構成すると、コスト的に有利となり、安定した付勢力が生じる。
【００１６】
請求項３記載の発明は、請求項２記載の発明の構成において、通気口の中心には開閉蓋の作動杆を摺動自在とする軸体が形成され、可撓性材料の中心には軸体に挿通可能な開口が形成されるものである。
【００１７】
このように構成すると、押圧部の位置が定まる。
【００１８】
請求項４記載の発明は、請求項２又は請求項３記載の発明の構成において、平坦面の外縁は正方形形状を有し、通気口は円形状に形成され、押圧部の各々は、平坦面の対向する四隅の部分を押圧するものである。
【００１９】
このように構成すると、押圧場所が広くなる。
【発明の効果】
【００２０】
以上説明したように、請求項１記載の発明は、押圧部は常にフィルターを押圧するため、フィルターの取付状態が安定する。
【００２１】
請求項２記載の発明は、請求項１記載の発明の効果に加えて、コスト的に有利となり、安定した付勢力が生じるため、使用勝手が向上する。
【００２２】
請求項３記載の発明は、請求項２記載の発明の効果に加えて、押圧部の位置が定まるため、フィルターの取付状態が更に安定する。
【００２３】
請求項４記載の発明は、請求項２又は請求項３記載の発明の効果に加えて、押圧場所が広くなるため、フィルターを安定して押圧部で押さえることが可能となる。
【図面の簡単な説明】
【００２４】
【図１】この発明の第１の実施の形態によるフィルター取付具を取り付けた後の、自然給排気装置の外観形状を概略的に示した正面図である。
【図２】図１で示したフィルター取付具の外観形状を概略的に示した斜視図である。
【図３】図１で示したフィルター取付具の展開図を概略的に示した斜視図である。
【図４】図２で示したフィルター取付具の取付過程を説明するための概略工程図である。
【図５】図１で示した自然給排気装置が壁面に取り付けられたときの、自然給排気装置の外観形状を概略的に示した斜視図である。
【図６】図５の（１）で示したＶＩ−ＶＩラインの拡大断面図である。
【図７】図５の（２）で示したＶＩＩ−ＶＩＩラインの拡大断面図である。
【図８】従来の自然給排気装置の外観形状を概略的に示した正面図である。
【図９】図８で示した自然給排気装置において、フィルターを取り外した後の装置本体及びフィルターのそれぞれの外観形状を概略的に示した正面図である。
【図１０】図９で示した装置本体の外観形状を概略的に示した斜視図である。
【図１１】図８で示した自然給排気装置が壁面に取り付けられたときの、自然給排気装置の外観形状を概略的に示した斜視図である。
【図１２】図１１で示したＸＩＩ−ＸＩＩラインの断面図である。
【発明を実施するための形態】
【００２５】
図１はこの発明の第１の実施の形態によるフィルター取付具を取り付けた後の、自然給排気装置の外観形状を概略的に示した正面図であり、図２は図１で示したフィルター取付具の外観形状を概略的に示した斜視図であり、図３は図１で示したフィルター取付具の展開図を概略的に示した斜視図である。尚、自然給排気装置の構造は従来のものと同様であるので、ここでの説明は繰り返さない。
【００２６】
これらの図を参照して、フィルター取付具１１は、ポリプロピレン等の可撓性材料よりなり、押圧部１３〜押圧部１６と、押圧部１３〜押圧部１６に接続され、各々の端部が押圧部１３〜押圧部１６から離れる方向に変形自在の突出片１８〜突出片２１と、突出片１８〜２１の各々に設けられ外縁から切れ目で接続された係合孔２８〜係合孔３１と、係合孔２８〜係合孔３１に係合し、突出片１８〜突出片２１が互いに接近するように働く輪ゴム３５とを備えている。
【００２７】
そして図１で示したように、フィルター取付具１１が自然給排気装置６１に取り付けられた状態では、押圧部１３〜押圧部１６は各々がフィルター４１を平坦面７１（図８参照）に押圧しており、輪ゴム３５は、突出片１８〜突出片２１を押圧部１３〜押圧部１６から離れる方向に付勢し、突出片１８〜突出片２１を図示しない開閉蓋６６（図１１参照）の内面に当接させている。
【００２８】
フィルター取付具１１の押圧部１３〜押圧部１６、突出片１８〜突出片２１、及び係合孔２８〜係合孔３１の各々は、図３で示したように、１枚のシート状の可撓性材料を打ち抜くことにより形成されている。突出片１８〜突出片２１は、フィルター取付具１１の中心から放射状に形成されており、フィルター取付具１１の中心には、軸体７９（図１参照）に挿通可能な開口２３が形成されている。そして図３中、破線で示す部分で山折りし、一点鎖線で示す部分で谷折りし、係合孔２８〜係合孔３１の各々に図示しない輪ゴム３５（図２参照）を係合すると、図２で示したようなフィルター取付具１１が完成する。
【００２９】
図４は図２で示したフィルター取付具の取付過程を説明するための概略工程図である。
【００３０】
図を参照して、自然給排気装置６１にフィルター取付具１１を取り付けるにあたり、初めに装置本体６５から開閉蓋６６を取り外す。次に、通気口７５を塞ぐようにして平坦面７１の上に１枚のシート状の不織布からなるフィルター４１を設置する。このとき、フィルター４１には、軸体７９に挿通可能な開口４２が予め形成されているとフィルター４１の位置が定まりやすくなる。次に、フィルター４１の上から、開口２３から軸体７９が挿通するようにしてフィルター取付具１１を取り付ける。このとき、押圧部１３〜押圧部１６が平坦面７１の対向する四隅の部分をそれぞれ押圧するようにして取り付けると、押圧部分が広くなるためフィルター４１を安定して押えることができる。最後に、作動杆７８に開閉蓋６６を取り付けて、フィルター取付具１１の取り付けを終了する。
【００３１】
図５は図１で示した自然給排気装置が壁面に取り付けられたときの、自然給排気装置の外観形状を概略的に示した斜視図であり、図６は図５の（１）で示したＶＩ−ＶＩラインの拡大断面図であり、図７は図５の（２）で示したＶＩＩ−ＶＩＩラインの拡大断面図である。
【００３２】
これらの図を参照して、自然給排気装置６１の不使用時には、図５の（１）及び図６で示したように、突出片１８〜突出片２１は、輪ゴム３５によって押圧部１３〜押圧部１６から離れる方向に付勢されて開閉蓋６６の内面６８に当接し、当接によって生じた反力により、フィルター４１は押圧部１３〜押圧部１６によって平坦面７１に押えられている。
【００３３】
一方、自然給排気装置６１の使用時において、図５の（２）及び図７で示したように、作動杆７８を摺動させて開閉蓋６６を平坦面７１から通気方向に移動させると、それに従い突出片１８〜突出片２１は押圧部１３〜押圧部１６から離れる方向に変形するが、このときも、突出片１８〜突出片２１は、輪ゴム３５によって押圧部１３〜押圧部１６から離れる方向に付勢されて開閉蓋６６の内面６８に当接すると共に、当接による反力によってフィルター４１は押圧部１３〜押圧部１６によって平坦面７１に押えられている。
【００３４】
又、図５の（２）及び図７で示したように開閉蓋６６が開いた状態から開閉蓋６６が閉じた状態、すなわち図５の（１）及び図６で示したような自然給排気装置６１の不使用状態にするときには、作動杆７８を摺動させて開閉蓋６６を平坦面７１側に近づく方向に移動させていく。これにより平坦面７１と開閉蓋６６との距離は徐々に狭まり、それに従い突出片１８〜突出片２１は押圧部１３〜押圧部１６に近づく方向に変形する。そしてこのときも、突出片１８〜突出片２１は、輪ゴム３５によって押圧部１３〜押圧部１６から離れる方向に付勢されて開閉蓋６６の内面６８に当接すると共に、当接による反力によってフィルター４１は押圧部１３〜押圧部１６によって平坦面７１に押えられている。
【００３５】
このように、押圧部１３〜押圧部１６は、開閉蓋６６の移動、すなわち開閉蓋６６の開閉状態によらず、常にフィルター４１を平坦面７１に押圧しているので、フィルター４１の取付状態は安定する。
【００３６】
又、フィルター取付具１１によれば、フィルター４１は１枚のシート状のものであれば良いため、汎用性に優れている。
【００３７】
尚、使用によってフィルター４１が汚れた際には、開閉蓋６６を取り外してからフィルター取付具１１を取り外し、汚れたフィルター４１を新しいものと取り替えれば良い。
【００３８】
このように、フィルター取付具１１は、上述したような１枚のシート状の可撓性材料と輪ゴム３５とから構成される簡単な構成であり、フィルター４１が汚れた際にはフィルター４１だけを容易に取り替えることができ、又、フィルター取付具１１自体は繰り返し使用できるためコスト的に有利となる。
【００３９】
尚、上記の実施の形態では、フィルター取付具は特定形状であるが、同様の機能を発揮するものであれば他の形状であっても良い。
【００４０】
又、上記の実施の形態では、付勢手段をリング状の弾性体より構成しているが、他の構成としても良い。
【００４１】
更に、上記の実施の形態では、リング状の弾性体として輪ゴムを使用しているが、他の弾性体を使用しても良い。
【００４２】
更に、上記の実施の形態では、平坦面の外縁は特定形状を有しているが、他の形状であっても良い。
【００４３】
更に、上記の実施の形態では、通気口は特定形状に形成されているが、他の形状であっても良い。
【００４４】
更に、上記の実施の形態では、押圧部の各々は、平坦面の特定の部分を押圧しているが、他の部分を押圧しても良い。
【００４５】
更に、上記の実施の形態では、開閉蓋に当接する外方部を複数の突出片により構成しているが、他の構成としても良く、又、外方部は少なくとも１つ設けられていれば良い。
【００４６】
更に、上記の実施の形態では、押圧部と外方部とは１枚の可撓性材料から一体形成されているが、押圧部と外方部とを別体とし、これらを組み合わせた構成としても良い。
【００４７】
更に、上記の実施の形態では、押圧部は特定形状を有しているが、例えば、押圧部にミシン目を入れておき、ミシン目に沿って押圧部の一部を切り取ることで、通気口のサイズに応じて押圧部のサイズを調整できる構成としても良い。
【００４８】
更に、上記の実施の形態では、フィルター取付具には開口が形成されているが、装置本体に軸体がない構造の場合には、開口は不要である。
【符号の説明】
【００４９】
１…フィルター取付具
１３〜１６…押圧部
１８〜２１…突出片
３５…輪ゴム
４１…フィルター
６１…自然給排気装置
６３…壁面
６６…開閉蓋
６８…内面
７１…平坦部
７５…通気口
尚、各図中同一符号は同一又は相当部分を示す。
【図１】
2015104694.tif 000003
【図２】
2015104694.tif 000004
【図３】
2015104694.tif 000005
【図４】
2015104694.tif 000006
【図５】
2015104694.tif 000007
【図６】
2015104694.tif 000008
【図７】
2015104694.tif 000009
【図８】
2015104694.tif 000010
【図９】
2015104694.tif 000011
【図１０】
2015104694.tif 000012
【図１１】
2015104694.tif 000013
【図１２】
2015104694.tif 000014